(57)【要約】【課題】操作器本体を兼用してコストを削減でき、制御ユニットの自動制御の対象となる照明器具をより適切な点灯状態に変更できる浴室照明装置を提供する。【解決手段】  調光機能付きの第一主照明器具２と、調光機能の無い第二主照明器具３と、１種類以上の副照明器具を備える。第一主照明器具２及び第二主照明器具３はいずれか一方のみが主照明器具として選択されて浴室１に設置される。操作器の銘板１９を前記主照明器具と副照明器具の組み合わせの数と同数種類備える。各銘板１９は操作器本体１８に設けた複数のスイッチ１７のいずれかに対応する操作釦２０を備える。浴室１に設置される主照明器具及び副照明器具に対応する銘板１９を操作器本体１８に取付けて操作器を構成する。制御ユニット１４は各銘板１９に対応する制御モードを複数備える。操作器本体１８からのモード設定用信号により制御ユニット１４の制御モードを設定する。【選択図】図１
2008053191.tif 000002
【特許請求の範囲】
【請求項１】
浴室に設置される照明器具として、調光機能付きの第一主照明器具と、調光機能の無い第二主照明器具と、１種類以上の副照明器具を備え、これら照明器具のうち第一主照明器具及び第二主照明器具はいずれか一方のみが主照明器具として選択されて浴室に設置されるものであって、操作器の銘板を前記主照明器具と副照明器具の組み合わせの数と同数種類備え、各銘板は主照明器具と副照明器具の組み合わせ毎に異なると共に、共通の操作器本体に設けた複数のスイッチのいずれかに対応する操作釦を備え、これら銘板のうち浴室に設置される主照明器具及び副照明器具に対応する銘板を操作器本体に取付けて操作器を構成し、制御ユニットは各銘板に対応する制御モードを複数備え、操作器本体はモード設定用信号を制御ユニットに送る送信手段を備え、該送信手段により送られたモード設定用信号により制御ユニットの前記複数の制御モードのうち操作器本体に取付けた銘板に対応する制御モードを当該制御ユニットの運転制御モードとして設定し、操作器の操作釦を操作して対応する位置にあるスイッチを切り替えた場合、制御ユニットは前記設定された運転制御モードに従って対象の照明器具の制御を行うことを特徴とする浴室照明装置。
【請求項２】
前記副照明器具として浴槽に設置されて浴槽内の湯水に光を照射する水中照明器具を備え、浴室の出入り口付近に設置されるメインスイッチを備え、制御ユニットは、メインスイッチをＯＮにした際には主照明器具が第一主照明器具又は第二主照明器具のいずれである場合にも主照明器具を点灯すると共に水中照明器具を消灯し、制御ユニットの運転制御モードを第一主照明器具と水中照明器具の組み合わせに対応する銘板の制御モードに設定した場合においては、メインスイッチをＯＮにした際に、第一主照明器具を全灯状態とし、この後、操作器を操作して水中照明器具を点灯した際には第一主照明器具を全灯状態よりも暗い所定の明るさにし、以後、この水中照明器具を点灯した状態では第一主照明器具を調光可能とし、運転制御モードを第二主照明器具と水中照明器具の組み合わせに対応する銘板の制御モードに設定した場合においては、メインスイッチをＯＮにした後に操作器を操作して水中照明器具を点灯した際には、第二主照明器具の点灯状態を維持し、この水中照明器具を点灯した状態では第二主照明器具のＯＮ・ＯＦＦを切替可能とすることを特徴とする請求項１に記載の浴室照明装置。
【請求項３】
前記副照明器具として浴室の壁に設置されて間接照明を行う壁面照明器具を備え、浴室の出入り口に設置されるメインスイッチを備え、制御ユニットは、メインスイッチをＯＮにした際には主照明器具が第一主照明器具又は第二主照明器具のいずれである場合にも主照明器具を点灯すると共に壁面照明器具を消灯し、運転制御モードを第一主照明器具と壁面照明器具の組み合わせに対応する銘板の制御モードに設定した場合においては、メインスイッチをＯＮにした際に第一主照明器具を全灯状態とし、この後、操作器を操作して壁面照明器具を点灯した際には第一主照明器具を消灯し、以後、この壁面照明器具を点灯した状態では第一主照明器具を調光可能とし、運転制御モードを第二主照明器具と壁面照明器具の組み合わせに対応する銘板の制御モードに設定した場合においては、メインスイッチをＯＮにした後に操作器を操作して壁面照明器具を点灯した際には第二主照明器具を消灯し、この壁面照明器具を点灯した状態では第二主照明器具のＯＮ・ＯＦＦを切替可能とすることを特徴とする請求項１又は請求項２に記載の浴室照明装置。
【請求項４】
制御ユニットの運転制御モードを第一主照明器具と副照明器具の組み合わせに対応する銘板の制御モードに設定し、且つメインスイッチをＯＮにした状態においては、浴室に設置した全ての副照明器具を消灯している状態では第一主照明器具を所定の明るさから全灯までの範囲内で調光可能とし、浴室に設置した１以上の副照明器具を点灯した状態では第一主照明器具を消灯から全灯までの範囲内で調光可能とすることを特徴とする請求項２又は請求項３に記載の浴室照明装置。
【発明の詳細な説明】
【技術分野】
【０００１】
本発明は白熱灯のような調光機能付きの第一主照明器具と、蛍光灯のような調光機能の無い第二主照明器具と、１種類以上の副照明器具を備え、これら照明器具のうち第一主照明器具及び第二主照明器具のいずれか一方を主照明器具として浴室に設置する浴室照明装置に関する。
【背景技術】
【０００２】
例えば特許文献１には浴槽内の湯水に光を照射する水中照明器具を浴槽に設置したものが記載されている。水中照明器具はリラックス感を与えるための副照明器具として利用され、浴室にはこれとは別に浴室全体を照らす主照明器具が設置される。主照明器具としては調光機能付きの白熱灯等を主照明器具として用いる場合と、調光機能の無い蛍光灯等を主照明器具として用いる場合がある。以下、調光機能付きの照明を第一主照明器具と記載し、調光機能の無い照明を第二主照明器具と記載する。
【０００３】
上記のように第一主照明器具及び第二主照明器具のいずれか一方と既述した水中照明器具のような副照明器具を浴室に設置する場合、操作器を制御ユニットを介して選択した主照明器具及び副照明器具に接続し、操作器で任意の照明器具の操作を行った場合に他の照明器具の点灯状態を連動して適切な状態に自動的に変更することが好ましく、この場合は操作器で操作した照明器具とは別の照明器具をその都度操作する必要がなく便利である。
【０００４】
ここで上記操作器には主照明器具として選択される第一主照明器具と第二主照明器具を操作するためのスイッチを設ける必要がある。従って上記自動制御を実現するには例えば第一主照明器具用のスイッチを備えた操作器と第二主照明器具用のスイッチを備えた操作器とを用意することが考えられるが、この場合はコストがかかる。
【０００５】
そこで操作器の銘板を主照明器具と副照明器具の組み合わせの数と同数種類備え、各銘板を主照明器具と副照明器具の組み合わせ毎に異ならせると共に各銘板に同一の操作器本体に設けた複数のスイッチのいずれかに対応する操作釦を設け、これら銘板のうち浴室に設置される主照明器具及び副照明器具に対応する銘板を操作器本体に取付けて操作器を構成することが考えられる。即ちこの場合は自動制御の対象となる照明器具を各スイッチの切替状態に応じて制御する。
【０００６】
しかし上記照明装置は、例えば副照明器具に対応するスイッチを操作した時に自動制御の対象となる主照明器具の制御を上記調光機能の有無の違う主照明器具毎に異ならせることができず、自動制御の対象となる照明器具を適切な点灯状態にできないという問題がある。
【特許文献１】特開２００１−１６９９４９号公報
【発明の開示】
【発明が解決しようとする課題】
【０００７】
本発明は上記従来の問題点に鑑みて発明したものであって、浴室に設置される主照明器具及び副照明器具に対応する銘板を操作器本体に取付けて操作器を構成することで、操作器本体を兼用してコストを削減でき、尚且つ制御ユニットの自動制御の対象となる照明器具をより適切な点灯状態に変更できる浴室照明装置を提供することを課題とするものである。
【課題を解決するための手段】
【０００８】
上記課題を解決するために本発明に係る浴室照明装置は、浴室１に設置される照明器具として、調光機能付きの第一主照明器具２と、調光機能の無い第二主照明器具３と、１種類以上の副照明器具を備え、これら照明器具のうち第一主照明器具２及び第二主照明器具３はいずれか一方のみが主照明器具として選択されて浴室１に設置されるものであって、操作器の銘板１９を前記主照明器具と副照明器具の組み合わせの数と同数種類備え、各銘板１９は主照明器具と副照明器具の組み合わせ毎に異なると共に、操作器本体１８に設けた複数のスイッチ１７のいずれかに対応する操作釦２０を備え、これら銘板１９のうち浴室１に設置される主照明器具及び副照明器具に対応する銘板１９を操作器本体１８に取付けて操作器を構成し、制御ユニット１４は各銘板１９に対応する制御モードを複数備え、操作器本体１８はモード設定用信号を制御ユニット１４に送る送信手段を備え、該送信手段により送られたモード設定用信号により制御ユニット１４の前記複数の制御モードのうち操作器本体１８に取付けた銘板１９に対応する制御モードを当該制御ユニット１４の運転制御モードとして設定し、操作器の操作釦２０を操作して対応する位置にあるスイッチ１７を切り替えた場合、制御ユニット１４は前記設定された運転制御モードに従って対象の照明器具の制御を行うことを特徴とする。
【０００９】
上記構成を有する浴室照明装置は、操作器の銘板１９を主照明器具と副照明器具の組み合わせの数と同数種類備え、これら銘板１９のうち浴室１に設置される主照明器具及び副照明器具に対応する銘板１９を操作器本体１８に取付けて操作器を構成するので、操作器本体１８を兼用できる。また送信手段によって操作器本体１８からモード設定用信号を制御ユニット１４に送ることで、該モード設定用信号により複数の制御モードのうち操作器本体１８に取付けた銘板１９に対応する制御モードを当該制御ユニット１４の運転制御モードとして設定でき、これにより操作器の操作釦２０を操作して対応する位置にあるスイッチ１７を切り替えた場合には、制御ユニット１４で前記設定された運転制御モードに従って対象の照明器具の制御を行うことができる。
【００１０】
また前記副照明器具として浴槽５に設置されて浴槽５内の湯水に光を照射する水中照明器具４ｂを備え、浴室１の出入り口付近に設置されるメインスイッチ２５を備え、制御ユニット１４は、メインスイッチ２５をＯＮにした際には主照明器具が第一主照明器具２又は第二主照明器具３のいずれである場合にも主照明器具を点灯すると共に水中照明器具４ｂを消灯し、制御ユニット１４の運転制御モードを第一主照明器具２と水中照明器具４ｂの組み合わせに対応する銘板１９ｃ又は１９ｅの制御モードに設定した場合においては、メインスイッチ２５をＯＮにした際に、第一主照明器具２を全灯状態とし、この後、操作器を操作して水中照明器具４ｂを点灯した際には第一主照明器具２を全灯状態よりも暗い所定の明るさにし、以後、この水中照明器具４ｂを点灯した状態では第一主照明器具２を調光可能とし、運転制御モードを第二主照明器具３と水中照明器具４ｂの組み合わせに対応する銘板１９ｄ又は１９ｆの制御モードに設定した場合においては、メインスイッチ２５をＯＮにした後に操作器を操作して水中照明器具４ｂを点灯した際には、第二主照明器具の点灯状態を維持し、この水中照明器具４ｂを点灯した状態では第二主照明器具３のＯＮ・ＯＦＦを切替可能とすることが好ましい。
【００１１】
上記構成により、運転制御モードを第一主照明器具２と水中照明器具４ｂの組み合わせに対応する銘板１９ｃ又は１９ｅの制御モード（即ち実施例では第一主照明・水中照明用制御モード又は第一主照明・壁面照明・水中照明用制御モード）に設定した場合には、浴室１に入る際にメインスイッチ２５をＯＮにして第一主照明器具２を全灯状態とすることができ、またこの後、操作器を操作して水中照明器具４ｂを点灯した際には第一主照明器具２を全灯状態よりも暗い所定の明るさの点灯状態とすることができる。また運転制御モードを第二主照明器具３と水中照明器具４ｂの組み合わせに対応する銘板１９ｄ又は１９ｆの制御モード（即ち実施例では第二主照明・水中照明用制御モード又は第二主照明・壁面照明・水中照明用制御モード）に設定した場合には、浴室１に入る際にメインスイッチ２５をＯＮにして第二主照明器具３を点灯状態とすることができ、またこの後、操作器を操作して水中照明器具４ｂを点灯した際には第二主照明器具３を点灯することができる。
【００１２】
また前記副照明器具として浴室１の壁１ａに設置されて間接照明を行う壁面照明器具４ａを備え、浴室１の出入り口に設置されるメインスイッチ２５を備え、制御ユニット１４は、メインスイッチ２５をＯＮにした際には主照明器具が第一主照明器具２又は第二主照明器具３のいずれである場合にも主照明器具を点灯すると共に壁面照明器具４ａを消灯し、運転制御モードを第一主照明器具２と壁面照明器具４ａの組み合わせに対応する銘板１９ａ又は１９ｅの制御モードに設定した場合においては、メインスイッチ２５をＯＮにした際に第一主照明器具２を全灯状態とし、この後、操作器を操作して壁面照明器具４ａを点灯した際には第一主照明器具２を消灯し、以後、この壁面照明器具４ａを点灯した状態では第一主照明器具２を調光可能とし、運転制御モードを第二主照明器具３と壁面照明器具４ａの組み合わせに対応する銘板１９ｂ又は１９ｆの制御モード（即ち実施例では第二主照明・壁面照明用制御モード又は第二主照明・壁面照明・水中照明用制御モード）に設定した場合においては、メインスイッチ２５をＯＮにした後に操作器を操作して壁面照明器具４ａを点灯した際には、第二主照明器具３を消灯し、この壁面照明器具４ａを点灯した状態では第二主照明器具３のＯＮ・ＯＦＦを切替可能とすることが好ましい。
【００１３】
上記構成により、運転制御モードを第一主照明器具２と壁面照明器具４ａの組み合わせに対応する銘板１９ａ又は１９ｅの制御モード（即ち実施例では第一主照明・壁面照明用制御モード又は第一主照明・壁面照明・水中照明用制御モード）に設定した場合には、浴室１に入る際にメインスイッチ２５をＯＮにして第一主照明器具２を全灯状態とすることができ、またこの後、壁面照明器具４ａを点灯した際には第一主照明器具２を自動的に消灯できる。また運転制御モードを第二主照明器具３と壁面照明器具４ａの組み合わせに対応する銘板１９ｂ又は１９ｆの制御モード（即ち実施例では第二主照明・壁面照明用制御モード又は第二主照明・壁面照明・水中照明用制御モード）に設定した場合には、浴室１に入る際にメインスイッチ２５をＯＮにして第二主照明器具３を点灯状態とすることができ、またこの後、壁面照明器具４ａを点灯した際には第二主照明器具３を自動的に消灯できる。
【００１４】
また制御ユニット１４の運転制御モードを第一主照明器具２と副照明器具の組み合わせに対応する銘板１９ａ、１９ｃ、１９ｅの制御モードに設定し、且つメインスイッチ２５をＯＮにした状態においては、副照明器具を消灯している状態では第一主照明器具２を所定の明るさから全灯までの範囲内で調光可能とし、副照明器具を点灯した状態では第一主照明器具２を消灯から全灯までの範囲内で調光可能とすることが好ましい。
【００１５】
運転制御モードを第一主照明器具２と副照明器具の組み合わせに対応する銘板１９ａ、１９ｃ、１９ｅの制御モード（即ち実施例では第一主照明・壁面照明用制御モード、又は第一主照明・水中照明用制御モード、又は第一主照明・壁面照明・水中照明用制御モード）に設定した場合には、メインスイッチ２５がＯＮの状態にある時には、副照明器具を１種類以上点灯した状態でのみ第一主照明器具２を消灯できるようになる。
【発明の効果】
【００１６】
請求項１に係る発明では、浴室に設置される主照明器具及び副照明器具に対応する銘板を操作器本体に取付けて操作器を形成するので、操作器本体を兼用できてコストを削減できる。また送信手段によって操作器本体からモード設定用信号を制御ユニットに送ることで、該モード設定用信号により複数の制御モードのうち操作器本体に取付けた銘板に対応する制御モードを当該制御ユニットの運転制御モードとして設定でき、これにより操作器の操作釦を操作して対応する位置にあるスイッチを切り替えた場合には、制御ユニットで前記設定された運転制御モードに従って対象の照明器具の制御を行うことができ、これにより例えば副照明器具に対応するスイッチを操作した時に自動制御の対象となる主照明器具の制御を調光機能の有無が異なる主照明器具毎に異ならせることができるなど、制御ユニットの自動制御の対象となる照明器具をより適切な点灯状態に変更できる。
【００１７】
また請求項２に係る発明では、請求項１に係る発明の効果に加えて、水中照明器具により浴槽内の湯水を色つきで発光させて幻想的な雰囲気とでき、この色付きの幻想的な湯水の中に身体を浸けてリラックスした入浴ができるのは勿論、加えて運転制御モードを第一主照明器具と水中照明器具の組み合わせに対応する銘板の制御モードに設定した場合には、浴室に入る際にメインスイッチをＯＮにして第一主照明器具を全灯状態として安全に入室でき、またこの後、操作器を操作して水中照明器具を点灯した際には第一主照明器具を全灯状態よりも暗い所定の明るさの点灯状態とすることができ、水中照明器具による演出効果を高めることができる。またこのように水中照明器具を点灯した際には第一主照明器具を消灯しないので、入浴者が不安を感じることを防止でき、またこの時洗い場と浴槽５とを移動する入浴者の安全を保つことができる。また運転制御モードを第二主照明器具と水中照明器具の組み合わせに対応する銘板の制御モードに設定した場合には、浴室に入る際にメインスイッチをＯＮにして第二主照明器具を点灯状態として安全に入室でき、またこの後、操作器を操作して水中照明器具を点灯した際には第二主照明器具を消灯しないので、入浴者が不安を感じることを防止できる。
【００１８】
また請求項３に係る発明では、請求項１又は請求項２に係る発明の効果に加えて、間接照明を行う壁面照明器具によりリラックス効果を高めることができるのは勿論、加えて運転制御モードを第一主照明器具と壁面照明器具の組み合わせに対応する銘板の制御モードに設定した場合には、浴室に入る際にメインスイッチをＯＮにして第一主照明器具を全灯状態として安全に入室でき、またこの後、壁面照明器具を点灯した際には第一主照明器具を自動的に消灯でき、壁面照明器具によるリラックス効果を高めることができる。また運転制御モードを第二主照明器具と壁面照明器具の組み合わせに対応する銘板の制御モードに設定した場合には、浴室に入る際にメインスイッチをＯＮにして第二主照明器具を点灯状態として安全に入室でき、またこの後、壁面照明器具を点灯した際には第二主照明器具を自動的に消灯でき、壁面照明器具によるリラックス効果を高めることができる。
【００１９】
また請求項４に係る発明では、請求項２又は請求項３に係る発明の効果に加えて、運転制御モードを第一主照明器具と副照明器具の組み合わせに対応する銘板の制御モードに設定した場合には、メインスイッチがＯＮの状態にある時には、副照明器具を１種類以上点灯した状態でのみ第一主照明器具が消灯でき、メインスイッチがＯＮの状態にある場合に第一主照明器具及び全ての副照明器具が消灯して浴室が真っ暗になることを防止できる。
【発明を実施するための最良の形態】
【００２０】
以下、本発明を添付図面に示す実施形態に基づいて説明する。図１に示すように本実施形態の浴室照明装置は、発光の明るさを調節可能な調光機能付きの第一主照明器具２と、調光機能の無い第二主照明器具３と、１種類以上の副照明器具を備え、これら照明器具のうち第一主照明器具２及び第二主照明器具３のいずれか一方のみが主照明器具として選択され、選択された主照明器具が副照明器具と共に浴室１に設置される。
【００２１】
主照明器具として選択される調光機能付きの第一主照明器具２及び調光機能の無い第二主照明器具３は共に直接照明である。第一主照明器具２は白熱灯からなり、第二主照明器具３は蛍光灯からなり、これら第一主照明器具２及び第二主照明器具３は共に図６等に示すように浴室１の全体を照らすことができるように浴室１の壁１ａの上部や天井に設置される。
【００２２】
副照明器具は浴室１内に居る入浴者１０にリラックス効果を与えるものある。副照明器具としては浴室１の壁１ａに設置されて間接照明を行う壁面照明器具４ａと、浴槽５に設置されて浴槽５内の湯水に光を照射する水中照明器具４ｂの２種類がある。浴室１には壁面照明器具４ａ及び水中照明器具４ｂの２種類の照明器具のうち１種類のみ又は両方の照明器具が副照明器具として設置され、即ち浴室１に設置する主照明器具と副照明器具の組み合わせとしては、第一主照明器具２と壁面照明器具４ａ、第二主照明器具３と壁面照明器具４ａ、第一主照明器具２と水中照明器具４ｂ、第二主照明器具３と水中照明器具４ｂ、第一主照明器具２と壁面照明器具４ａ及び水中照明器具４ｂ、第二主照明器具３と壁面照明器具４ａ及び水中照明器具４ｂの６通りがある。
【００２３】
壁面照明器具４ａは図６等に示すように浴室１の上部に設置される主照明器具よりも下方で且つ浴槽５よりも上方の位置に横方向に離して２個設置する。各壁面照明器具４ａは図１０及び図１１に示すように背面を浴室１の壁１ａに沿って取付けられるボックス６内にＬＥＤからなる発光体８を配設したものである。ボックス６は前面が開口した箱状のボックス本体３０を備え、該ボックス本体３０の前面及び両側面を遮光性を有し且つ耐薬品性を有するＡＢＳ等の合成樹脂からなる平面視コ字状のカバー３１で覆って全体を箱状に形成したものである。ボックス本体３０は乳白色で透光性を有すると共に透過する光を拡散する性質を有し尚且つ耐薬品性を有するＰＰ（ポリプロピレン）等の合成樹脂からなる。発光体８はボックス６の前面部６ａ（即ちカバー３１の前壁部）に向けて発光し、この光がボックス６の前面部６ａや側面部６ｂ（即ちカバー３１の側壁部）に当たって反射し、ボックス６の天壁部６ｃ及び底壁部６ｄ（即ちボックス本体３１の天壁部及び底壁部）を透過し、これによりボックス６の上方及び下方に光が漏れ出して間接照明を実現する。このような間接照明する壁面照明器具４ａはボックス６の上下から出る光により浴室１に居る人にリラックス効果を与えることができる。
【００２４】
水中照明器具４ｂは、赤色発光ダイオードからなる赤色発光体、緑色発光ダイオードからなる緑色発光体、青色発光ダイオードからなる青色発光体を備えた光源部を有し、光源部では前記３種類の発光体から発せられる赤色（Ｒ）、緑色（Ｇ）、青色（Ｂ）の３原色の夫々の光量を調整して混合比を替えることで、赤色系の光色（ピンク色）、緑色と赤色の中間色系の光色（黄色）、緑色系の光色（緑色）、緑色と青色の中間色系の光色（水色）、青色系の光色（青色）、青色と赤色の中間色系の光色（紫色）、及び白色、さらに前記黄色と緑色の中間色である黄緑色、緑と水色の中間色である青緑色、水色と青色の中間色である緑青色等の所望の光色で発光できるようになっている。
【００２５】
上記水中照明器具４ｂは浴槽５の下部に設けられるものであり、浴槽５内に溜められる湯水の水面よりも下方に位置することとなる。具体的には浴槽５における四方の側壁のうち、浴槽５内に入浴した入浴者１０の足先側に位置する側壁を足先壁５ａとし、足先壁５ａと対向する側壁であって入浴者１０が背を凭れさせる側の側壁を背凭れ壁５ｂとし、且つ足先壁５ａ側を前方、背凭れ壁５ｂ側を後方と定義すると、水中照明器具は浴槽５において前後方向に沿う側壁の下部に設けられ、対向する側壁に向けて任意の色相の光を発光する。
【００２６】
ここで上記水中照明器具４ｂの発光により浴槽５内の湯水の大部分を照らすことができれば演出効果を高めることができるため、水中照明器具４ｂは図８や図９のように発光が浴槽５内に居る入浴者１０の身体によって遮られない位置に設置されることが好ましい。
【００２７】
図８の浴槽５は、標準的な体形を有する入浴者１０が無理なく自然な姿勢で入浴した場合、臀部を浴槽５の底面の後端部に載置し且つ脚を伸ばした状態で座った脚伸ばし姿勢と、臀部を浴槽５の底面において脚伸ばし姿勢における臀部を載置する部分よりもやや前方に位置する部分に載置し且つ膝を曲げた状態で座った脚曲げ姿勢のどちらか一方の姿勢となるように大きさ及び形状を設定している。そして脚伸ばし姿勢で入浴した入浴者１０の脚の上方で且つ脚曲げ姿勢で入浴した入浴者１０の脚の下方に水中照明器具４ｂを設置してあり、これにより水中照明器具４ｂから発した光は、脚伸ばし姿勢で入浴した場合には入浴者１０の膝の上方を通過し、また脚曲げ姿勢で入浴した場合には入浴者１０の膝の下方を通過するようになっている。
【００２８】
また図９の浴槽５は底面の前端部を一段高くして段部１１を形成してあり、標準的な体形を有する入浴者１０が段部１１の後部に足裏を当てた状態で入浴した場合には膝を曲げた姿勢で入浴するように大きさ及び形状を設定している。そしてこの姿勢で入浴する入浴者１０の曲げた脚よりも下方に水中照明器具４ｂを設置してあり、これにより水中照明器具４ｂから発した光は入浴者１０の膝の下方を通過するようになっている。
【００２９】
また上記水中照明器具４ｂが設置される浴槽５には図８や図９に示すように浴槽５内の湯水に気泡を発生させる気泡発生装置を設けることが好ましく、この場合は浴槽５内の湯水に発生する気泡に水中照明器具４ｂから発した光が当たって浴槽５内の湯水全体に光を拡散させることができる。気泡発生装置は浴槽５の側壁に設けた吸入口及び吐出口１２、吸入口と吐出口１２を接続する循環路、浴槽内の湯水を吸入口から吸い込むと共に吐出口１２から吐出する循環路に設けたポンプ、ポンプによって循環される浴水に気泡を混入する気泡混入部を備え、ノズルで構成した吐出口１２から気泡混じりの浴水を吐出して入浴者１０の体に当てることでマッサージ効果を与える。なお図８や図９では吐出口１２を前後方向に沿った側壁の前後に設けてあり、各吐出口１２から吐出される気泡混じりの湯水を入浴者１０の大腿部又は脹脛に当てて、この水流により手で摩るようなマッサージを行えるようになっている。
【００３０】
上記水中照明器具４ｂにより浴槽５内の湯水自体を直接照明することで、浴槽５内の湯水を色つきで発光させて幻想的な雰囲気とでき、このような色付きの幻想的な湯水の中に身体を浸けてリラックスした入浴ができるようになっている。
【００３１】
また浴室照明装置は図１に示すように浴室１に設置される照明器具の点灯状態を変更するための操作器と、制御ユニット１４を備え、操作器は制御ユニット１４を介して浴室１に設置される主照明器具及び副照明器具に電気的に接続される。
【００３２】
操作器は浴室１の壁１ａにおいて浴槽５に面する部分に設けられる操作器本体１８を備え、浴槽５に入った入浴者１０から操作可能な位置に設置される。操作器は複数のスイッチ１７ａ〜ｇを設けた操作器本体１８と、操作器本体１８に取付けた銘板１９ａ〜ｆとで構成される。
【００３３】
操作器の銘板１９ａ〜ｆは図１２に示すように前記主照明器具と副照明器具の組み合わせの数と同数種類（即ち６種類）あり、これら銘板１９ａ〜ｆから選択した一つの銘板１９を同じ操作器本体１８に取付けて操作器を構成する。各銘板１９ａ〜ｆは主照明器具と副照明器具の組み合わせ毎に操作釦２０が異なり、操作器本体１８に設けた複数のスイッチ１７ａ〜ｇのいずれかに対応する操作釦２０を備えている。
【００３４】
[第一主照明・壁面照明用銘板]  浴室１に第一主照明器具２及び壁面照明器具４ａを設置する場合には、銘板１９ａ〜ｆのうち図１２（ａ）に示す銘板１９ａを選択して操作器本体１８に取付ける。銘板１９ａは第一主照明器具２を操作するための第一主照明用操作釦２０ａ、２０ｂと、壁面照明器具４ａを操作するための壁面照明用操作釦２０ｃを備え、各操作釦２０ａ、２０ｂ、２０ｃは操作器本体１８のスイッチ１７ｃ、１７ｄ、１７ａの夫々に対向する位置に設けている。
【００３５】
[第二主照明・壁面照明用銘板]  浴室１に第二主照明器具３及び壁面照明器具４ａを設置する場合には図１２（ｂ）に示す銘板１９ｂを選択して操作器本体１８に取付ける。銘板１９ｂは、第二主照明器具３を操作するための第二主照明用操作釦２０ｄと、壁面照明器具４ａを操作するための壁面照明用操作釦２０ｃを備え、各操作釦２０ｄ、２０ｃは操作器本体１８のスイッチ１７ｂ、１７ｃの夫々に対向する位置に設けている。
【００３６】
[第一主照明・水中照明用銘板]  浴室１に第一主照明器具２及び水中照明器具４ｂを設置する場合には図１２（ｃ）に示す銘板１９ｃを選択して操作器本体１８に取付ける。銘板１９ｃは、第一主照明器具２を操作するための第一主照明用操作釦２０ａ、２０ｂと、水中照明器具４ｂを操作するための水中照明用操作釦２０ｅ〜ｇを備え、各操作釦２０ａ、２０ｂ、２０ｅ、２０ｆ、２０ｇは操作器本体１８のスイッチ１７ｃ、１７ｄ、１７ｅ、１７ｆ、１７ｇの夫々に対向する位置に設けている。
【００３７】
[第二主照明・水中照明用銘板]  浴室１に第二主照明器具３及び水中照明器具４ｂを設置する場合には図１２（ｄ）に示す銘板１９ｄを選択して操作器本体１８に取付ける。銘板１９ｄは、第二主照明器具３を操作するための第二主照明用操作釦２０ｄと、水中照明器具４ｂを操作するための水中照明用操作釦２０ｅ〜ｇを備え、各操作釦２０ｄ、２０ｅ、２０ｆ、２０ｇは操作器本体１８のスイッチ１７ｂ、１７ｅ、１７ｆ、１７ｇの夫々に対向する位置に設けている。
【００３８】
[第一主照明・壁面照明・水中照明用銘板]  浴室１に第一主照明器具２及び壁面照明器具４ａ及び水中照明器具４ｂを設置する場合には図１２（ｅ）に示す銘板１９ｅを選択して操作器本体１８に取付ける。銘板１９ｅは、第一主照明器具２を操作するための第一主照明用操作釦２０ａ、２０ｂと、壁面照明器具４ａを操作するための壁面照明用操作釦２０ｃと、水中照明器具４ｂを操作するための水中照明用操作釦２０ｅ〜ｇを備え、各操作釦２０ａ、２０ｂ、２０ｃ、２０ｅ、２０ｆ、２０ｇは操作器本体１８のスイッチ１７ｃ、１７ｄ、１７ａ、１７ｅ、１７ｆ、１７ｇの夫々に対向する位置に設けている。
【００３９】
[第二主照明・壁面照明・水中照明用銘板]  浴室１に第二主照明器具３及び壁面照明器具４ａ及び水中照明器具４ｂを設置する場合には図１２（ｆ）に示す銘板１９ｆを選択して操作器本体１８に取付ける。銘板１９ｆは、第二主照明器具３を操作するための第二主照明用操作釦２０ｄと、壁面照明器具４ａを操作するための壁面照明用操作釦２０ｃと、水中照明器具４ｂを操作するための水中照明用操作釦２０ｅ〜ｇを備え、各操作釦２０ｄ、２０ｃ、２０ｅ、２０ｆ、２０ｇは操作器本体１８のスイッチ１７ｂ、１７ａ、１７ｅ、１７ｆ、１７ｇの夫々に対向する位置に設けている。
【００４０】
ここで上記各銘板１９ａ〜ｆにおける第一主照明用操作釦２０ａ、２０ｂは第一主照明器具２の調光を行うための釦であり、第二主照明用操作釦２０ｄは第二主照明器具３のＯＮ・ＯＦＦを切り替えるための釦であり、壁面照明用操作釦２０ｃは壁面照明器具４ａのＯＮ・ＯＦＦを切り替えるための釦であり、水中照明用操作釦２０ｅは水中照明器具４ｂのＯＮ・ＯＦＦを切り替えるための釦であり、水中照明器具操作用釦２０ｆは水中照明器具４ｂを点灯した状態で後述のカラフル循環モードと寒色系循環モードを切り替えるための釦であり、水中照明器具操作用釦２０ｇは後述のカラーセレクトモードに移行し、水中照明器具４ｂの発光の色を変化させるための釦である。
【００４１】
また上記各銘板１９ａ〜ｆは、第一主照明用操作釦２０ａ、２０ｂ、第二主照明用操作釦２０ｄ、水中照明用操作釦２０ｅが同じ位置に設けてあり、制御ユニット１４の同一のスイッチ１７に対応するものである。また銘板１９ａ、１９ｅ、１９ｆに設けた壁面照明用操作釦２０ｃは同じ位置に設けてあり、制御ユニット１４の同一のスイッチ１７ａに対応するものであるが、銘板１９ｂに設けた壁面照明用操作釦２０ｃは、銘板１９ａ、１９ｅ、１９ｆに設けた壁面照明用操作釦２０ｃとは異なる位置で且つ銘板１９ａ、１９ｃ、１９ｅの第一主照明用操作釦２０ａと同じ位置に設けている。換言すると、制御ユニット１４のスイッチ１７ｃは、銘板１９ｂにあっては壁面照明用操作釦２０ｃに対応し、銘板１９ａ、１９ｃ、１９ｅにあっては第一主照明用操作釦２０ａに対応して、壁面照明用操作釦２０ｃ用のスイッチと第一主照明用操作釦２０ａ用のスイッチとを兼ねている。
【００４２】
上記銘板１９ａ〜ｆの中から選択された任意の一つの銘板１９を共通の操作器本体１８に取付けることで、浴室１に設置される主照明器具及び副照明器具に対応する操作器が形成され、このように形成された操作器にあっては取付けた銘板１９がいずれの銘板１９であっても、該銘板１９が備えた操作釦２０を押圧操作することで対応する位置にあるスイッチ１７が切り替えられるようになっている。なおこの場合、操作器本体１８に設けたスイッチ１７ａ〜ｇのうち、取付けた銘板１９の各操作釦２０に対応する位置にないスイッチ１７が銘板１９により覆われ操作不能となる。
【００４３】
またこのように形成された操作器は操作器本体１８に設けた中継コネクタ２２（図１３参照）を浴室１の天井裏等に設けた制御ユニット１４に接続することで有線で制御ユニット１４に電気的に接続される。制御ユニット１４が有する図示しない制御部は各銘板１９ａ〜ｆに対応する制御モードを複数備えており、これら制御モードのうち操作器本体１８に取付けた銘板に対応する制御モードを運転制御モードとして設定する。そして操作器に取付けた銘板１９の操作釦２０を操作して対応する位置にあるスイッチ１７を切り替えた場合、制御ユニット１４の制御部は設定した運転制御モードに従って対象の照明器具の制御を行うようになっている。
【００４４】
ここで操作器本体１８はモード設定用信号を制御ユニット１４に送る送信手段を備えており、これにより制御ユニット１４は操作器本体１８から送られたモード設定用信号に基づいて前記銘板１９ａ〜ｆに対応する制御モードのうち操作器本体１８に取付けた銘板１９に対応する制御モードを運転制御モードとして自動的に設定するようになっている。
【００４５】
具体的には、図１３に示す回路図のように操作器本体１８には識別信号選択部２３を設けている。識別信号選択部２３は前記中継コネクタ２２を介して制御ユニット１４の制御部に接続されるＧＮＤ側端子２９及び出力側端子３０を３組備え、任意のＧＮＤ側端子２９及び出力側端子３０間をジャンパー線２４を接続することで、制御ユニット１４に出力する２進数３桁の出力コードからなる識別信号を設定できるようになっている。ここで設定される識別信号は操作器本体１８に取付けた銘板が銘板１９ａ〜ｆのうちいずれの銘板であるかを識別するためのものであり、この識別信号の設定は例えば出荷前に行われる。そして制御ユニット１４は操作器の中継コネクタ２２が制御ユニットに接続されると、前記複数ある制御モードのうち接続された操作器から送られた識別信号に対応する制御モードを運転制御モードとして設定するようになっている。即ち本実施形態では識別信号選択部２３によって設定される識別信号がモード設定用信号となり、該識別信号を中継コネクタ２２を介して有線で制御ユニット１４の制御部に送る回路が送信手段となっている。
【００４６】
なお識別信号選択部２３としては上記ジャンパー線２４により識別信号を選択するものに限られず、例えば図１５及び図１６に示すような識別用コネクタ２６を用いても良い。識別用コネクタ２６は操作器本体１８の基板（図示せず）に設けた基板側コネクタ３３に接続される２６ａと、該コネクタ部２６ａ及び中継コネクタ２２を介して制御ユニット１４の制御部に電気的に接続されるＧＮＤ側の電線２７及び出力側の電線２８ａ〜ｃを備え、ＧＮＤ側の電線２７と任意の出力側の電線２８ａ〜ｃを半田３２で接続することで制御ユニット１４に出力する２進数３桁の出力コードからなる識別信号を設定できるようになっている。なお図１６の３４はＧＮＤ側の電線２７及びこれに半田３２を介して接続される出力側の電線２８ａ〜ｃの接続部分を被覆する熱収縮チューブである。また識別信号選択部２３としてはこの他にディップスイッチを採用しても良く、このようにジャンパー線２４や、識別用コネクタ２６、ディップスイッチを用いることで操作器本体１８の回路構成を簡単にできる。
【００４７】
また図１に示すように制御ユニット１４は浴室１に隣接する脱衣室の壁における浴室１の出入り口近傍等に設置されるメインスイッチ２５を介して電源７に接続されるものである。なおメインスイッチ２５は浴室１の出入り口近傍であれば浴室１の壁に設けても良いものとする。
【００４８】
ここで上記制御ユニット１４の制御モードとしては、銘板１９ａに対応する第一主照明・壁面照明用制御モード（図２）と、銘板１９ｂに対応する第二主照明・壁面照明用制御モード（図３）と、銘板１９ｃに対応する第一主照明・水中照明用制御モード（図４）と、銘板１９ｄに対応する第二主照明・水中照明用制御モード（図５）と、銘板１９ｅに対応する第一主照明・壁面照明・水中照明用制御モード（図６）と、銘板１９ｆに対応する第二主照明・壁面照明・水中照明用制御モード（図７）とがあり、各制御モードは個別動作モードを備えて異なっている。以下、各制御モードについて詳述する。なお以下の説明では第一主照明器具２の全灯状態を照度１００％とし消灯状態を照度０％として第一主照明器具の明るさを記載する。
【００４９】
[第一主照明・壁面照明用制御モード]  第一主照明・壁面照明用制御モードは図２に示すように個別動作モードとして破線ａ１で示す初期モードと破線ａ２で示す壁面照明モードを備えている。第一主照明・壁面照明用制御モードにおいてメインスイッチ２５をＯＮにした場合、主照明器具を構成する第一主照明器具２を全灯状態で点灯し、且つ副照明器具を構成する壁面照明器具４ａを消灯し、初期モードに移行する。初期モードでは常に第一主照明器具２を点灯状態とし且つ壁面照明器具４ａを消灯状態とする。また初期モードでは第一主照明用操作釦２０ａ、２０ｂの操作により第一主照明器具２が２０〜１００％の範囲で調光可能な状態となる。初期モードで壁面照明用操作釦２０ｃを操作した場合には、第一主照明器具２を消灯し、且つ壁面照明器具４ａを点灯し、壁面照明モードに移行する。壁面照明モードでは常に壁面照明器具４ａを点灯状態とする。また壁面照明モードでは第一主照明用操作釦２０ａ、２０ｂの操作により第一主照明器具２が０〜１００％の範囲で調光可能な状態となる。また壁面照明モードにおいて壁面照明用操作釦２０ｃを再度操作した場合には、第一主照明器具２を全灯状態で点灯し、且つ壁面照明器具４ａを消灯し、前記初期モードに移行する。また各個別動作モードにおいてメインスイッチ２５をＯＦＦにした場合は第一主照明器具２及び壁面照明器具４ａを消灯する。
【００５０】
[第二主照明・壁面照明用制御モード]  第二主照明・壁面照明用制御モードは図３に示すように個別動作モードとして破線ｂ１で示す壁面照明モードを備えている。第二主照明・壁面照明用制御モードにおいてメインスイッチ２５をＯＮにした場合、主照明器具を構成する第二主照明器具３を点灯し、且つ副照明器具を構成する壁面照明器具４ａを消灯した初期状態とする。この初期状態で壁面照明用操作釦２０ｃを操作した場合には、第二主照明器具３を消灯し、且つ壁面照明器具４ａを点灯し、壁面照明モードに移行する。壁面照明モードでは常に壁面照明器具４ａを点灯状態とする。また壁面照明モードでは第二主照明用操作釦２０ｄの操作により第二主照明器具３のＯＮ・ＯＦＦが切替可能な状態となる。また壁面照明モードにおいて壁面照明用操作釦２０ｃを再度操作した場合には、前記初期状態に移行する。また前記初期状態及び壁面照明モードにおいてメインスイッチ２５をＯＦＦにした場合は第二主照明器具３及び壁面照明器具４ａを消灯する。
【００５１】
[第一主照明・水中照明用制御モード]  第一主照明・水中照明用制御モードは図４に示すように個別動作モードとして破線ｃ１で示す初期モードと破線ｃ２で示す水中照明モードを備えている。第一主照明・水中照明用制御モードにおいてメインスイッチ２５をＯＮにした場合、主照明器具を構成する第一主照明器具２を全灯状態で点灯し、且つ副照明器具を構成する水中照明器具４ｂを消灯し、初期モードに移行する。初期モードでは常に第一主照明器具２を点灯状態とし且つ水中照明器具４ｂを消灯状態とする。また初期モードでは第一主照明用操作釦２０ａ、２０ｂの操作により第一主照明器具２が２０〜１００％の範囲で調光可能な状態となる。初期モードで水中照明用操作釦２０ｅを操作した場合には、第一主照明器具２を全灯状態よりも暗い所定の明るさ（２０％）にし、水中照明器具４ｂを点灯し、水中照明モードに移行する。水中照明モードでは常に水中照明器具４ｂを点灯状態とする。また水中照明モードでは第一主照明用操作釦２０ａ、２０ｂの操作により第一主照明器具２が０〜１００％の範囲で調光可能な状態となる。また水中照明モードにおいて水中照明用操作釦２０ｅを再度操作した場合には、第一主照明器具２を全灯状態で点灯し、且つ水中照明器具４ｂを消灯し、前記初期モードに移行する。また各個別動作モードにおいてメインスイッチ２５をＯＦＦにした場合は第一主照明器具２及び水中照明器具４ｂを消灯する。
【００５２】
[第二主照明・水中照明用制御モード]  第二主照明・水中照明用制御モードは図５に示すように個別動作モードとして破線ｄ１で示す水中照明モードを備えている。第二主照明・水中照明用制御モードにおいてメインスイッチ２５をＯＮにした場合、主照明器具を構成する第二主照明器具３を点灯し、且つ副照明器具を構成する水中照明器具４ｂを消灯した初期状態とする。この初期状態で水中照明用操作釦２０ｅを操作した場合には、第二主照明器具３を点灯状態としたまま水中照明器具４ｂを点灯し、水中照明モードに移行する。水中照明モードでは常に水中照明器具４ｂを点灯状態とする。また水中照明モードでは第二主照明用操作釦２０ｄの操作により第二主照明器具３のＯＮ・ＯＦＦが切替可能な状態となる。また水中照明モードにおいて水中照明用操作釦２０ｅを再度操作した場合には前記初期状態に移行する。また初期状態及び水中照明モードにおいてメインスイッチ２５をＯＦＦにした場合は第二主照明器具３及び水中照明器具４ｂを消灯する。
【００５３】
[第一主照明・壁面照明・水中照明用制御モード]  第一主照明・壁面照明・水中照明用制御モードは図６に示すように個別動作モードとして破線ｅ１で示す初期モードと破線ｅ２で示す壁面照明モードと破線ｅ３で示す水中照明モードと破線ｅ４で示す壁面・水中照明モードとを備えている。第一主照明・壁面照明・水中照明用制御モードにおいてメインスイッチ２５をＯＮにした場合、主照明器具を構成する第一主照明器具２を全灯状態で点灯し、且つ副照明器具を構成する壁面照明器具４ａ及び水中照明器具４ｂを消灯し、初期モードに移行する。初期モードでは常に第一主照明器具２を点灯状態とし且つ壁面照明器具４ａ及び水中照明器具４ｂを消灯状態とする。また初期モードでは第一主照明用操作釦２０ａ、２０ｂの操作により第一主照明器具２が２０〜１００％の範囲で調光可能な状態となる。
【００５４】
初期モードで壁面照明用操作釦２０ｃを操作した場合には、第一主照明器具２を消灯し、且つ壁面照明器具４ａを点灯し、水中照明器具４ｂを消灯した状態のままで壁面照明モードに移行する。壁面照明モードでは常に壁面照明器具４ａを点灯状態とし、水中照明器具４ｂを消灯状態とする。また壁面照明モードでは第一主照明用操作釦２０ａ、２０ｂの操作により第一主照明器具２が０〜１００％の範囲で調光可能な状態となる。また壁面照明モードにおいて壁面照明用操作釦２０ｃを再度操作した場合には、第一主照明器具２を全灯状態で点灯し、且つ壁面照明器具４ａ及び水中照明器具４ｂを消灯し、前記初期モードに移行する。
【００５５】
初期モードで水中照明用操作釦２０ｅを操作した場合には、第一主照明器具２を全灯状態よりも暗い所定の明るさ（２０％）にし、且つ水中照明器具４ｂを点灯し、水中照明モードに移行する。水中照明モードでは常に壁面照明器具４ａを消灯状態とし、水中照明器具４ｂを点灯状態とする。また水中照明モードでは第一主照明用操作釦２０ａ、２０ｂの操作により第一主照明器具２が０〜１００％の範囲で調光可能な状態となる。また水中照明モードにおいて水中照明用操作釦２０ｅを再度操作した場合には、第一主照明器具２を全灯状態で点灯し、且つ水中照明器具４ｂを消灯し、前記初期モードに移行する。
【００５６】
壁面照明モードで水中照明用操作釦２０ｅを操作した場合、及び水中照明モードで壁面照明用操作釦２０ｃを操作した場合には、第一主照明器具２を消灯し、且つ壁面照明器具４ａ及び水中照明器具４ｂを点灯し、壁面・水中照明モードに移行する。壁面・水中照明モードでは常に壁面照明器具４ａ及び水中照明器具４ｂを点灯状態とする。また壁面・水中照明モードでは第一主照明用操作釦２０ａ、２０ｂの操作により第一主照明器具２が０〜１００％の範囲で調光可能な状態となる。また壁面・水中照明モードで水中照明用操作釦２０ｅを再度操作した場合には、壁面照明器具４ａの点灯状態を維持したままで、第一主照明器具２及び水中照明器具４ｂを消灯し、壁面照明モードに移行する。また壁面・水中照明モードで壁面照明用操作釦２０ｃを再度操作した場合には、水中照明器具４ｂの点灯状態を維持したままで、第一主照明器具２及び壁面照明器具４ａを消灯し、水中照明モードに移行する。また各個別動作モードにおいてメインスイッチ２５をＯＦＦにした場合は第一主照明器具２及び壁面照明器具４ａ及び水中照明器具４ｂを消灯する。
【００５７】
[第二主照明・壁面照明・水中照明用制御モード]  第二主照明・壁面照明・水中照明用制御モードは図７に示すように個別動作モードとして破線ｆ１で示す壁面照明モードと破線ｆ２で示す水中照明モードと破線ｆ３で示す壁面・水中照明モードを備えている。第二主照明・壁面照明・水中照明用制御モードにおいてメインスイッチ２５をＯＮにした場合、主照明器具を構成する第二主照明器具３を点灯し、且つ副照明器具を構成する壁面照明器具４ａ及び水中照明器具４ｂを消灯した初期状態とする。
【００５８】
この初期状態で壁面照明用操作釦２０ｃを操作した場合には、第二主照明器具３及び水中照明器具４ｂを消灯し、且つ壁面照明器具４ａを点灯し、壁面照明モードに移行する。壁面照明モードでは常に壁面照明器具４ａを点灯状態とし、水中照明器具４ｂを消灯状態とする。また壁面照明モードでは第二主照明用操作釦２０ｄの操作により第二主照明器具３のＯＮ・ＯＦＦが切替可能な状態となる。また壁面照明モードにおいて壁面照明用操作釦２０ｃを再度操作した場合には、前記初期状態に移行する。
【００５９】
また前記初期状態で水中照明用操作釦２０ｅを操作した場合には、第二主照明器具３を点灯状態とし且つ壁面照明器具４ａを消灯状態としたまま水中照明器具４ｂを点灯し、水中照明モードに移行する。水中照明モードでは常に壁面照明器具４ａを消灯状態とし、水中照明器具４ｂを点灯状態とする。また水中照明モードでは第二主照明用操作釦２０ｄの操作により第二主照明器具３のＯＮ・ＯＦＦが切替可能な状態となる。また水中照明モードにおいて水中照明用操作釦２０ｅを再度操作した場合には、前記初期状態に移行する。
【００６０】
また壁面照明モードで水中照明用操作釦２０ｅを操作した場合、及び水中照明モードで壁面照明用操作釦２０ｃを操作した場合には、第二主照明器具３を消灯し、且つ壁面照明器具４ａ及び水中照明器具４ｂを点灯し、壁面・水中照明モードに移行する。壁面・水中照明モードでは常に壁面照明器具４ａ及び水中照明器具４ｂを点灯状態とする。また壁面・水中照明モードでは第二主照明用操作釦２０ｄの操作により第二主照明器具３のＯＮ・ＯＦＦが切替可能な状態となる。また壁面・水中照明モードで水中照明用操作釦２０ｅを操作した場合には、壁面照明器具４ａの点灯状態を維持したままで、第二主照明器具３及び水中照明器具４ｂを消灯し、壁面照明モードに移行する。また壁面・水中照明モードで壁面照明用操作釦２０ｃを操作した場合には、水中照明器具４ｂの点灯状態を維持したままで、第二主照明器具３及び壁面照明器具４ａを消灯し、水中照明モードに移行する。また前記初期状態及び各個別動作モードにおいてメインスイッチ２５をＯＦＦにした場合は第二主照明器具３及び壁面照明器具４ａ及び水中照明器具４ｂを消灯する。
【００６１】
また本実施形態では上記第一主照明・水中照明用制御モード、第二主照明・水中照明用制御モード、第一主照明・壁面照明・水中照明用制御モード、第二主照明・壁面照明・水中照明用制御モードにおける水中照明モード及び壁面・水中照明モードは、カラフル循環モード、寒色系循環モード、カラーセレクトモードを備えており、他の個別動作モードから水中照明モード、壁面・水中照明モードに移行した時にはまずカラフル循環モードに移行する。
【００６２】
カラフル循環モードは水中照明器具４ｂを緑色系の光色、青色系の光色、赤色系の光色の順に循環させて発光するモードであり、該カラフル循環モードでは青色系の光色から青色と赤色の中間色系の光色に変化し、次に青色と赤色の中間色系の光色から赤色系の光色としてピンク色の光色に変化し、次にピンク色の光色から白色の光色を経て赤色と緑色との中間色系の光色に変化するように設定されている。具体的には黄色、緑色、水色、青色、紫色、ピンク色、白色の順で水中照明器具４ｂの光色を所定時間毎に順次変更する。このカラフル循環モードでは水中照明器具４ｂによって浴槽５内の湯水を略全色の光を循環して発することができて効果的な演出ができる。なおこのカラフル循環モードでは、ピンク色の光色から白色の光色を経て赤色と緑色との中間色系の光色に変化するようにしており、入浴者を不快にする血の色に似た赤色を用いないようにしている。
【００６３】
また水中照明モード及び壁面・水中照明モードにおいて、水中照明器具操作用釦２０ｆを操作した場合には寒色系循環モードに移行する。寒色系循環モードは、水中照明器具４ｂを寒色系の色である、水色の光色、緑青色の光色、青色の光色、青緑色の光色をこの順に循環させて発光するモードである。この寒色系循環モードでは水色、緑青色、青色、青緑色の落ち着いた寒色系の色を循環させるので一層リラックス効果を高めることができる。
【００６４】
また水中照明モード及び壁面・水中照明モードにおいて、水中照明器具操作用釦２０ｇを操作した場合にはカラーセレクトモードに移行する。カラーセレクトモードは、水中照明器具４ｂを黄色、黄緑色、緑色、青緑色、水色、緑青色、青色、紫色、ピンク色、白のうち選択された任意の光色に固定して発光するモードであり、水中照明器具操作用釦２０ｇを押し操作する毎に黄色、黄緑色、緑色、青緑色、水色、緑青色、青色、紫色、ピンク色、白の順に水中照明器具４ｂから発する光の色を変更するものである。またこのカラーセレクトモードにおいては図１４に示すように水中照明器具４ｂから発する光の明るさを所定時間毎（例えば１０秒毎）に強弱させる。また寒色系循環モード及びカラーセレクトモードにおいて水中照明器具操作用釦２０ｆを操作した場合にはカラフル循環モードに移行する。
【００６５】
既述した第一主照明・壁面照明用制御モード、第一主照明・水中照明用制御モード、第一主照明・壁面照明・水中照明用制御モードでは、メインスイッチ２５がＯＮの状態にある場合には、浴室１に設置した全ての副照明器具を消灯している状態では第一主照明器具２を所定の明るさから全灯までの範囲（２０〜１００％）内で調光可能とし、１以上の副照明器具を点灯した状態では第一主照明器具２を消灯から全灯までの範囲（０〜１００％）内で調光可能としているので、副照明器具を１種類以上点灯した状態でのみ第一主照明器具２が消灯でき、メインスイッチ２５がＯＮの状態にある場合に第一主照明器具２及び浴室１に設置した全ての副照明器具が消灯して浴室１が真っ暗になることを防止できる。
【００６６】
また第二主照明・壁面照明用制御モード、第二主照明・水中照明用制御モード、第二主照明・壁面照明・水中照明用制御モードでは、メインスイッチ２５がＯＮの状態にある場合には、浴室１に設置した全ての副照明器具を消灯している状態では第二主照明器具３を点灯し、１以上の副照明器具を点灯した状態では第二主照明器具３のＯＮ・ＯＦＦを切替可能としているので、副照明器具を１種類以上点灯した状態でのみ第二主照明器具３が消灯でき、メインスイッチ２５がＯＮの状態にある場合に第二主照明器具３及び浴室１に設置した全ての副照明器具が消灯して浴室１が真っ暗になることを防止できる。
【００６７】
また第一主照明・壁面照明用制御モードや第一主照明・壁面照明・水中照明用制御モードでは、浴室１に入る際にメインスイッチ２５をＯＮにして第一主照明器具２を全灯状態として安全に入室でき、またこの後、壁面照明用操作釦２０ｃを操作して壁面照明モードに移行した時には第一主照明器具２を自動的に消灯でき、壁面照明器具４ａによるリラックス効果を高めることができる。
【００６８】
また第二主照明・壁面照明用制御モードや第二主照明・壁面照明・水中照明用制御モードでは、浴室１に入る際にメインスイッチ２５をＯＮにして第二主照明器具３を点灯状態として安全に入室でき、またこの後、壁面照明用操作釦２０ｃを操作して壁面照明モードに移行した時には第二主照明器具３を自動的に消灯でき、壁面照明器具４ａによるリラックス効果を高めることができる。
【００６９】
また第一主照明・水中照明用制御モードや第一主照明・壁面照明・水中照明用制御モードでは、浴室１に入る際にメインスイッチ２５をＯＮにして第一主照明器具２を全灯状態として安全に入室でき、またこの後、水中照明用操作釦２０ｅを操作して水中照明モードに移行した時には第一主照明器具２を全灯状態よりも暗い所定の明るさの点灯状態とすることができ、水中照明器具４ｂによる演出効果を高めることができる。またこの水中照明モードに移行した時には第一主照明器具２を消灯しないので、浴室１内が暗くなると不安を感じやすい傾向にある女性が第一主照明器具２の消灯により不安を感じてしまうことを防止でき、またこの時洗い場と浴槽５とを移動する入浴者の安全を保つことができる。さらにこの水中照明モードでは第一主照明器具２が調光可能となるので、浴室１内が暗くなっても不安を感じ難い傾向にある男性が第一主照明器具２の明るさを弱くすることなどもできる。
【００７０】
また第二主照明・水中照明用制御モードや第二主照明・壁面照明・水中照明用制御モードでは、浴室１に入る際にメインスイッチ２５をＯＮにして第二主照明器具３を点灯状態として安全に入室でき、またこの後、水中照明用操作釦２０ｅを操作して水中照明モードに移行した時には第二主照明器具３を点灯状態としたままで水中照明器具４ｂを行うことができ、この水中照明モードに移行した時には第二主照明器具３を消灯しないので、浴室１内が暗くなると不安を感じやすい傾向にある女性が第二主照明器具３の消灯により不安を感じてしまうことなどを防止できる。さらにこの水中照明モードでは第二主照明器具３のＯＮ・ＯＦＦが切替可能な状態となるので、浴室１内が暗くなっても不安を感じ難い傾向にある男性が第二主照明器具３を消灯することなどもできる。
【００７１】
さらに第一主照明・壁面照明・水中照明用制御モードや第二主照明・壁面照明・水中照明用制御モードでは、壁面・水中照明モードに移行した時には第一主照明器具２又は第二主照明器具３を自動的に消灯できるので、壁面照明器具４ａ及び水中照明器具４ｂによる演出効果を高めることができ、またこの壁面・水中照明モードでは壁面照明器具４ａと水中照明器具４ｂを同時に点灯するので、入浴者の顔と同じ高さ程度に設置した壁面照明器具４ａから柔らかい光を発することができ、浴槽５内に居る入浴者は不安を感じずリラックスすることができる。
【００７２】
以上説明した浴室照明装置を浴室１に設置する場合は、第一主照明器具２及び第二主照明器具３から選択された一種類の主照明器具、壁面照明器具４ａ及び水中照明器具４ｂから選択された１又は２種類の副照明器具、制御ユニット１４、任意の銘板を操作器本体１８に取付けて構成した操作器、メインスイッチ２５、の夫々を浴室に設置し、同時に制御ユニット１４と主照明器具及び副照明器具を電気的に接続し、操作器の中継コネクタ２２を制御ユニット１４に接続し、且つ制御ユニット１４を前記メインスイッチ２５を介して電源７に接続する。
【００７３】
このように浴室照明装置を設置した場合、共通の制御ユニット１４を用いることができてコストを削減できるのは勿論、加えて浴室１に設置される主照明器具及び副照明器具に対応する銘板１９を操作器本体１８に取付けて操作器を形成するので、操作器本体１８を兼用でき、これらにより一層コストを削減できる。また操作器を制御ユニット１４に接続することで、送信手段によって操作器本体１８からモード設定用信号を制御ユニット１４の制御部に送り、該モード設定用信号により前記複数の制御モードのうち操作器本体１８に取付けた銘板１９に対応する制御モードを当該制御ユニット１４の運転制御モードとして設定することができ、これにより操作器の操作釦２０を操作して対応する位置にあるスイッチ１７を切り替えた場合には、該スイッチ１７の切り替え情報に基づき、前記制御ユニット１４で前記設定された運転制御モードに従って対象の照明器具の制御を行うことができる。またこの場合、操作器を制御ユニット１４に接続するだけで制御ユニット１４の運転制御モードを浴室１に設置した主照明器具と副照明器具の組に対応する制御モードに自動的に設定でき、浴室照明装置を浴室１に設置する作業者は運転制御モードを設定する必要がなくて便利である。また上記のように複数の制御モードのうち操作器本体１８に取付けた銘板１９に対応する制御モードを当該制御ユニット１４の運転制御モードとして設定することができるので、副照明器具に対応するスイッチ１７を操作した時に自動制御の対象となる主照明器具の制御を上記調光機能の有無の違う主照明器具毎に異ならせることができるなど、制御ユニット１４の自動制御の対象となる照明器具をより適切な点灯状態に変更できる。
【００７４】
なお浴室１に設置する主照明器具と副照明器具の組み合わせは、上記第一主照明器具２と壁面照明器具４ａ、第二主照明器具３と壁面照明器具４ａ、第一主照明器具２と水中照明器具４ｂ、第二主照明器具３と水中照明器具４ｂ、第一主照明器具２と壁面照明器具４ａ及び水中照明器具４ｂ、第二主照明器具３と壁面照明器具４ａ及び水中照明器具４ｂの６通りに加えて、浴室１に副照明器具を設置せず第一主照明器具２及び第二主照明器具３はいずれか一方からなる主照明器具のみを浴室に設置する組み合わせを加えても良い。即ちこの場合は、操作器の銘板として図１７に示すような主照明器具のみを設置する場合の銘板１９ｇを備え、且つ制御ユニット１４はこの銘板１９ｇに対応する制御モードを備え、操作器本体１８に取り付けた銘板１９が主照明器具のみを設置する場合の銘板１９ｇである場合には、操作器を制御ユニット１４に接続した際に、該銘板１９ｇに対応する制御モードを運転制御モードとして自動的に設定すれば良い。
【図面の簡単な説明】
【００７５】
【図１】本発明の実施の形態の一例を示す浴室照明装置の説明図である。
【図２】第一主照明・壁面照明用制御モードにおける制御を示す説明図である。
【図３】第二主照明・壁面照明用制御モードにおける制御を示す説明図である。
【図４】第一主照明・水中照明用制御モードにおける制御を示す説明図である。
【図５】第二主照明・水中照明用制御モードにおける制御を示す説明図である。
【図６】第一主照明・壁面照明・水中照明用制御モードでの制御を示す説明図である。
【図７】第二主照明・壁面照明・水中照明用制御モードにおける制御を示す説明図である。
【図８】水中照明器具の設置位置の一例を示す説明図である。
【図９】水中照明器具の設置位置の他例を示す説明図である。
【図１０】壁面照明器具を浴室の壁に設置した状態を示す側断面図である。
【図１１】壁面照明器具の分解斜視図である。
【図１２】（ａ）〜（ｆ）は操作器本体に取付けられる各銘板の正面図である。
【図１３】操作器本体の回路図である。
【図１４】カラーセレクトモードにおいて水中照明器具から発する光の時間と明るさの関係を示すグラフである。
【図１５】他例の識別信号選択部を備えた操作器本体の背面図である。
【図１６】同上の識別用コネクタの説明図である。
【図１７】浴室に第一主照明器具のみを設置する場合に操作器本体に取付けられる銘板の正面図である。
【符号の説明】
【００７６】
１  浴室
２  第一主照明器具
３  第二主照明器具
４ａ  壁面照明器具
４ｂ  水中照明器具
１４  制御ユニット
１７  スイッチ
１８  操作器本体
１９  銘板
２０  操作釦
２５  メインスイッチ
【図１】
2008053191.tif 000003
【図２】
2008053191.tif 000004
【図３】
2008053191.tif 000005
【図４】
2008053191.tif 000006
【図５】
2008053191.tif 000007
【図６】
2008053191.tif 000008
【図７】
2008053191.tif 000009
【図８】
2008053191.tif 000010
【図９】
2008053191.tif 000011
【図１０】
2008053191.tif 000012
【図１１】
2008053191.tif 000013
【図１２】
2008053191.tif 000014
【図１３】
2008053191.tif 000015
【図１４】
2008053191.tif 000016
【図１５】
2008053191.tif 000017
【図１６】
2008053191.tif 000018
【図１７】
2008053191.tif 000019